(57)【要約】【課題】  指圧、マッサージを目的にシャワーヘッドに装着して使用できるように工夫したシャワーヘッド用の指圧、マッサージ用具を提供する。【解決手段】  シャワーヘッド本体の放水頭部に装着して使用するシャワーヘッド用指圧マッサージ用具で、マッサージ用具の底面部にシャワーヘッド本体の放水口を開放する開口部と突起を設け、指圧、マッサージ用具とシャワーヘッド本体を固定するためベルトをマッサージ用具後方に取り付けた、指圧、マッサージ用具。【選択図】  「図１」
2005125048.tif 000002
【特許請求の範囲】
【請求項１】
シャワーヘッド本体の放水頭部に装着して使用するシャワーヘッド用指圧、マッサージ用具で、マッサージ用具の底面部にシャワーヘッド本体の放水部分を開放する開口部と、突起を設けたことを特徴とするシャワーヘッド用の指圧、マッサージ用具。
【発明の詳細な説明】
【技術分野】
【０００１】  本発明は、指圧、マッサージを目的にシャワーヘッドに装着して使用できるように工夫したもので、シャワーヘッド用の指圧、マッサージ用具に関する発明である。
【背景技術】
【０００２】  従来、シャワーヘッドによる指圧、マッサージ用具は、シャワーヘッドにマッサージ機能が付いているか、シャワーヘッド本体の放湯又は放水部分に、多数の突起を設けたゴム製或いは軟質プラスチック製のリング状又は、筒状の器具をシャワーヘッドに装着し放湯又は、放水しながら体をマッサージしていた。
先行技術の特許文献は、特許２５１１２４９がある。
【発明の開示】
【発明が解決しようとする課題】
【０００３】  従来の物には、次のような問題点があった。
（イ）  マッサージ機能付きシャワーヘッドは、構造が複雑で使いやすさの面で問題があった。
（ロ）  マッサージ機能付きシャワーヘッドは、一度故障すると修理が大変だった。
（ハ）  シャワーヘッド本体の放水部の頭部にリング状又は、筒状の器具を装着するマッサージ器は、シャワーヘッド本体の放水頭部先端が突出していることを装着条件としており、市場に出回っている一部のシャワーヘッドだけに使用可能であった。
（二）  リング状又は筒状の器具をシャワーヘッドに取り付ける形のマッサージ器は、シャワーヘッド放湯又は放水部分の面積と、リング状又は筒状の器具の突起のある部分の面積とが同等か、シャワーヘッド放湯又は放水部分の面積の方が器具の突起部分面積より広くないと装着が不可能であった。
（ホ）  リング状又は筒状の器具をシャワーヘッドに取り付ける形のマッサージ器は、突起部分のサイズが細く短いため、充分な指圧、マッサージ効果を得ることが、むずずかしかった。
（ヘ）  リング状又は筒状のキャップをシャワーヘッドに取り付ける形のマッサージ器は突起部分の長さが短かいため、シャワーヘッド本体の放水口から充分な水圧効果を得ることがむずかしかった。
（ト）  リング状又は筒状のキャップを構成する素材が、収縮自在の軟質素材であるため取り外しの際破損しやすく、このために非常に注意を必要とした。
本発明は、これらの問題点を解決するためになされたものである。
【課題を解決するための手段】
【０００４】  シャワーヘッド本体の放水頭部に装着して使用するシャワーヘッド用指圧、マッサージ用具で、マッサージ用具の底面部にシャワーヘッド本体の放水部分を開放する開口部と、突起を設け、マッサージ用具とシャワーヘッド本体を固定するベルトを、マッサージ用具後部に取り付ける。
以上を特徴とる指圧、マッサージ用具である。
【発明の効果】
【０００５】  マッサージ用具の構造が、どのような形のシャワーヘッドにも装着可能となっているため利用範囲が広く、又シャワーヘッド本体に固定するためのベルトがマッサージ用具後部に付いているので安定感があり、使いやすい。
マッサージ用具の底部に付いている突起部分の形状が十分な指圧効果を生む。
突起部分の長さがシャワーヘッド本体放水口から体まで、程よい距離を有しているのでより高い水圧効果を得ることができる。
【発明を実施するための最良の形態】
【０００６】  以下、本発明の実地の形態について説明する。
（イ）ゴム製又は、防水加工した布等によりマッサージ用具（２）を作り、シャワーヘッド本体（１）を包み込む形状とする。
（ロ）ゴム製又は、防水加工した布等により作られたマッサージ用具（２）の底部に、ゴム製又は、軟質プラスチック製等で円柱形又は円推形の突起部（１０）を設ける。
（ハ）マッサージ用具（２）の底部突起部（１０）がある中央部分にシャワーヘッド本体放水口（４）から放水又は放湯を可能とする開口部（５）を設ける。
（二）マッサージ用具（２）の後部にゴム製又は、防水加工した布等によりシャワーヘッド本体（１）と固定するためのベルト（６）を設け、シャワーヘッド本体（１）のフック部分（７）に巻き付け、ベルト（６）にはめ込んだ、フックＡ（８）にフックＢ（９）を引っかけ固定する。
本発明は以上のような構成で、これを使用するときは、シャワーヘッド本体（１）をマッサージ用具（２）の挿入口（３）から挿入しシャワーヘッド本体放水口（４）とマッサージ用具開口部（５）の中心を合わせて装着する。
マッサージ用具（２）のベルト（６）をシャワーヘッド本体（１）のフック部分（７）に巻き付ける。
フックＡ（８）をフックＢ（９）に引っ掛け固定し、お湯を張った浴槽の中に体を浸しシャワーヘッド本体放水口（４）から放湯し、足し湯をしながらマッサージ用具（２）の突起部（１０）を頭、肩、首、腰、腕、足に押しつけ指圧、マッサージを行い水圧の効果でより強い筋肉の血行促進と、筋肉疲労除去及び痛みの軽減を実感することが出来る。
又、浴槽内外で、放湯せずに突起部分（１０）を頭、肩、首、腰、腕、足に押し付けるかマッサージすることで疲労回復に役立てることができる。
【実施例１】
【０００７】  指圧、マッサージ用具（２）の上部に耳や鼻を取り付け、動物などの顔や体の形状を作り利用してもよい。
いろいろなキャラクターの形が、指圧、マッサージ用具（２）を使用中に心をリラックスさせる効果を生む。
【実施例２】
【０００８】  請求項１に記載の指圧、マッサージ用具（２）とベルト（６）の材質は、ゴム、軟質プラスチック、ポリエステル製網、防水布、面テープ、ウレタンなどで作成しても良く、突起部（１０）の材質は、ゴム、軟質プラスチック、コルクでも良い。
利用者の気分や浴槽の雰囲気などで選択できる。
【実施例３】
【０００９】  請求項１に記載の指圧、マッサージ用具（２）の挿入口（３）の位置はマッサージ用具（２）の後方、ベルト（６）の位置でなくても良く、マッサージ用具（２）の上部に開口部を設け、ひも又は、ホックなどでとじるように作っても良い。
【実施例４】
【０００１０】  請求項１に記載の指圧、マッサージ用具（２）の固定用のベルト（６）を作らず、指圧、マッサージ用具（２）の挿入口（３）を収縮性のあるゴムで閉じるように作成しても良く、ベルト（６）についているフックＡ（８）フックＢ（９）の代わりに、ボタン面ファスナー等を使用しても良い。
【実施例５】
【０００１１】  請求項１に記載の突起部（１０）の形状は、先端が丸いものや、平らなもの等で良く円柱形、円すい形など身体に効率よく圧力が加わる形状が良い。
放水口（４）から突起部（１０）の先端まで、多少の距離をもって、水圧も充分に感じ取れるように構成する。
【実施例６】
【０００１２】  請求項１に記載の指圧、マッサージ用具（２）の部分に紐状の飾りを取り付け、シャワーを使用しない時にシャワーヘッド本体（１）から指圧、マッサージ用具（２）をはずし紐をビスなどに引っ掛け、マッサージ用具（２）を乾かしても良い。
【図面の簡単な説明】
【０００１３】
【図１】本発明の使用状態を示した斜視図
【図２】本発明の断面図
【図３】本発明のベルトを広げた状態の斜視図
【図４】本発明のベルトを閉めた状態の斜視図
【図５】本発明を利用するシャワーヘッド本体の斜視図
【図６】本発明の使用状態を示した斜視図
【図７】本発明の使用状態を示した説明図
【符号の説明】
【０００１４】  １  シャワーヘッド本体
２  マッサージ用具
３  挿入口
４  放水口
５  開口部
６  ベルト
７  フック部分
８  フックＡ
９  フックＢ
１０  突起部
【図１】
2005125048.tif 000003
【図２】
2005125048.tif 000004
【図３】
2005125048.tif 000005
【図４】
2005125048.tif 000006
【図５】
2005125048.tif 000007
【図６】
2005125048.tif 000008
【図７】
2005125048.tif 000009